(57)【要約】【課題】製造コストが安価で、在庫管理等の管理面が容易な発泡性飲料注出具を提供する。【解決手段】ビールを缶の天蓋に設けた注ぎ口から注出する際に上記缶に取り付けられる発泡性飲料注出具であって、上記缶の注ぎ口を覆った状態で上記缶に取り付けられる有天筒状の取付部１と、上記缶の注ぎ口から流出したビールを案内するように上記取付部１の天板１１に形成された貫通孔１１ａと、この貫通孔１１ａを囲むようにして上記取付部１の天板１１から立設された注出用筒部２とを備えている。そして、この注出用筒部２の天井板１５に１つの主注出口１６が形成され、この主注出口１６より開口面積が小さい複数の補助注出口１７が、ビールの注出の際に上記主注出口１６の上側に位置するように形成されている。【選択図】図１
2008137683.tif 000002
【特許請求の範囲】
【請求項１】
発泡性飲料を飲料容器の天蓋に設けた開口部から注出する際に上記飲料容器に取り付けられる発泡性飲料注出具であって、上記飲料容器の開口部を覆った状態で上記飲料容器に取り付けられる有天筒状の取付部と、上記飲料容器の開口部から流出した発泡性飲料を案内するように上記取付部の天板に形成された飲料案内口と、この飲料案内口を囲むようにして上記取付部の天板から立設された有天筒状部とを備え、この有天筒状部の天板に１つの主注出口が形成され、この主注出口より開口面積が小さい複数の補助注出口が、発泡性飲料の注出の際に上記主注出口の上側に位置するように形成されていることを特徴とする発泡性飲料注出具。
【請求項２】
上記取付部の周側壁がその天板の外周縁部から垂下し、上記有天筒状部の周側壁が取付部の天板の飲料案内口の周縁部から垂設されている請求項１記載の発泡性飲料注出具。
【発明の詳細な説明】
【技術分野】
【０００１】
本発明は、ビール，発泡酒等の各種の発泡性飲料を収容する飲料容器に取り付けられる発泡性飲料注出具に関するものである。
【背景技術】
【０００２】
従来から、ビールを収容する金属製缶からビールをコップ等に注ぐ際には、ビール中の炭酸ガスやうまみ成分が逃げ出すのを防止し、飲んだときの爽快感を持たせるため、コップ等に注いだビールの上部を少し覆う程度に泡を発生させることが行われている。ところが、缶からビールをコップ等に注ぐ時に、毎回適度に泡を発生させることが難しい。そこで、開封した缶に、泡発生機能を有する注出具を取り付け、缶からビールをコップ等に注ぐ時に適度に泡を発生させることも行われている。
【０００３】
このような注出具として、図１７および図１８に示す発泡性飲料用の注出具が提案されている。この注出具は、円形の本体３１と、これと別体に成形された補助ノズル３２とを備えている。上記本体３１は、缶ビール用の金属容器（図示せず）の一端部（天板側の端部）に嵌合しうる嵌合突部３３と、平坦部３４とを有しており、この平坦部３４に、金属容器から流出した缶ビールを導入する導入チャンバー３５が画成されている。また、この導入チャンバー３５の１つの端壁３５ａに主ノズル本体３６が上記平坦部３４に対して傾斜状に突設されているとともに、上記１つの端壁３５ａより外側に形成された他の端壁３５ｂに、主ノズル本体３６より横断面積の小さい補助ノズル取り付け部３７が上記平坦部３４に対して傾斜状に突設されており、この補助ノズル取り付け部３７に、左右一対のノズル孔３２ａが形成された補助ノズル３２が着脱自在に固定されている。
【０００４】
そして、使用時には、金属容器の天板に設けた開封部を開封した状態で、金属容器の一端部に本体３１の嵌合突部３３を嵌合させ、その状態で金属容器を徐々に傾けると、金属容器内のビールは、上記開封により形成された開口から流出して導入チャンバー３５内に流入し、導入チャンバー３５内を通過したのち、補助ノズル３２を介して細い補助流としてコップ等に注がれ、さらに金属容器を傾けると、主ノズル本体３６からも太い本流としてコップ等に注がれ、上記細い補助流によりコップ等内に微細な泡が発生するようにしている（例えば、特許文献１参照）。
【特許文献１】特開２００２−１２２４８号公報
【発明の開示】
【発明が解決しようとする課題】
【０００５】
しかしながら、上記の注出具では、本体３１の平坦部３４に導入チャンバー３５を画成し、この導入チャンバー３５の１つの端壁３５ａに主ノズル本体３６を突設するとともに他の端壁３５ｂに補助ノズル取り付け部３７を突設し、この補助ノズル取り付け部３７に補助ノズル３２を固定しているため、構造が複雑であり、その分成形型の構造も複雑になり、製造コストが高価になる。しかも、本体３１と補助ノズル３２との２部品で構成されており、部品点数が多く、在庫管理等の管理面が煩雑になる。
【０００６】
本発明は、このような事情に鑑みなされたもので、製造コストが安価で、在庫管理等の管理面が容易な発泡性飲料注出具の提供をその目的とする。
【課題を解決するための手段】
【０００７】
上記の目的を達成するため、本発明の発泡性飲料注出具は、発泡性飲料を飲料容器の天蓋に設けた開口部から注出する際に上記飲料容器に取り付けられる発泡性飲料注出具であって、上記飲料容器の開口部を覆った状態で上記飲料容器に取り付けられる有天筒状の取付部と、上記飲料容器の開口部から流出した発泡性飲料を案内するように上記取付部の天板に形成された飲料案内口と、この飲料案内口を囲むようにして上記取付部の天板から立設された有天筒状部とを備え、この有天筒状部の天板に１つの主注出口が形成され、この主注出口より開口面積が小さい複数の補助注出口が、発泡性飲料の注出の際に上記主注出口の上側に位置するように形成されているという構成をとる。
【発明の効果】
【０００８】
すなわち、本発明の発泡性飲料注出具は、（発泡性飲料が収容される）飲料容器に取り付けられる有天筒状の取付部と、この取付部の天板に形成された飲料案内口を囲むようにして上記取付部の天板から立設された有天筒状部とを備えており、この有天筒状部の天板に１つの主注出口が形成され、この主注出口より開口面積が小さい複数の補助注出口が、発泡性飲料の注出の際に上記主注出口の上側に位置するように形成されている。そして、使用時には、飲料容器の天蓋に設けた開封部を開封して開口部を開け、その状態で、上記開口部を覆うようにして上記取付部を飲料容器に取り付けたのち、飲料容器を徐々に傾けることを行う。これにより、飲料容器内の発泡性飲料は、飲料容器の開口部から流出して飲料案内口により有天筒状部内に案内され、この有天筒状部内を通過したのち、この有天筒状部の天板に形成された主注出口，複数の補助注出口からコップ等内に注がれる。このとき、有天筒状部内を通過した発泡性飲料を、まず主注出口からゆっくりと流出させてコップ等内に注ぎ、泡が殆ど発生しないようにする。また、飲料容器内に溜まる炭酸ガスや空気等は各補助注出口から放出される。ついで、さらに飲料容器を傾けると、有天筒状部内を通過した発泡性飲料は、各補助注出口からも細い液体流として流出する。この細い液体流は、上記主注出口から流出する発泡性飲料（太い液体流）と合流して、きめ細かな泡を発生させながらコップ等内に注がれ、もしくはこの細い液体流は、上記主注出口から流出する発泡性飲料と合流することなく、単独でコップ等内に注がれ、このコップ等内に流下する際に、コップ等内に溜まる発泡性飲料の液面をたたいて、きめ細かな泡を発生させる。
【０００９】
このように、本発明の発泡性飲料注出具では、有天筒状の取付部と、この取付部の天板に形成された飲料案内口と、この飲料案内口を囲むようにして上記取付部の天板から立設された有天筒状部とを備え、この有天筒状部の天板に１つの主注出口と複数の補助注出口とが形成されているだけであるため、構造が簡単であり、その分成形型の構造も簡単になり、製造コストが安価になる。しかも、１部品だけで構成されており、部品点数が少なく、在庫管理等の管理面が簡単化される。
【００１０】
また、本発明において、上記取付部の周側壁がその天板の外周縁部から垂下し、上記有天筒状部の周側壁が取付部の天板の飲料案内口の周縁部から垂設されている場合には、上記取付部の周側壁と有天筒状部の周側壁とが上下方向において平行になっているため、本発明の発泡性飲料注出具を上下一対の成形型を用いて成形すると、成形後に上下両型を上下方向に離間させることで、上下両型を外すことができ、成形型の構造を一層簡単にすることができる。
【発明を実施するための最良の形態】
【００１１】
つぎに、本発明を実施するための最良の形態について説明する。ただし、本発明は、この実施の形態に限られるものではない。
【００１２】
図１および図２は本発明の発泡性飲料注出具の一実施の形態を示している。この実施の形態では、上記発泡性飲料注出具は、合成樹脂材料（例えば、ＬＤＰＥ〔低密度ポリエチレン〕）を用い、上下一対の成形金型により一体成形されたものであり、金属製の缶（飲料容器）２１の天蓋２２に設けた開封部２３のスティオンタブ２４を引っ張ることにより、天蓋２２の注ぎ口（開口部）２２ａを開封した状態で、缶２１の（天蓋２２側の）一端部２１ａに着脱自在に固定される（図１３参照）。また、上記発泡性飲料注出具の形状は、缶２１に収容したビール（発泡性飲料）をコップ（ともに図示せず）に注ぐ際に（すなわち、後述する主注出口１６が下側に位置決めされた姿勢では）（図１４参照）、左右対称形となるように形成されている（図１０〜図１２参照）。
【００１３】
これらの図において、１は有天円筒状に形成された取付部であり、図３〜図９に示すように、円形平板状に形成された天板１１と、この天板１１の外周縁部から垂下する円筒状の周側壁１２とからなっている。上記天板１１には、その一側部分（ビールの注出時に、下側となる部分）およびこれに続く中央部分、すなわち、上記缶２１の天蓋２２の注ぎ口２２ａに対応する部分に、この注ぎ口２２ａから流出するビールを後述する注出用筒部２に案内する貫通孔（飲料案内口）１１ａが形成されている（図７および図８参照）。この貫通孔１１ａは、その外側面（ビールの注出時に、下側となる側面）が、内側（ビールの注出時には、上側）に向かって拡がる略Ｖ字状に形成されており、内側面（ビールの注出時に、中央および上側となる側面）が略半円弧状に形成されている。
【００１４】
上記周側壁１２には、その内周部に、缶２１の一端部２１ａの外周部に着脱自在に嵌合する係合部（この実施の形態では、環状凹部）１２ａ（図８および図９参照）が形成されている。また、上記周側壁１２には、その外周面下端部の一部（この実施の形態では、ビールの注出時に、上端となる部分）から平板状の把持部１３が突設されている。
【００１５】
２は有天筒状に形成された注出用筒部（有天筒状部）であり、上記天板１１の貫通孔１１ａの周縁部から立設されている。この注出用筒部２は、上記天板１１の貫通孔１１ａの周縁部から垂直に立設された筒状の周側壁１４と、この周側壁１４の上面開口部を閉塞する天井板（天板）１５とからなっている。
【００１６】
上記天井板１５は、平面視で上記貫通孔１１ａに対応する形状に形成されており、上記天板１１に対して平行に配設された略二等辺三角形状の外側水平部分１５ａと、この外側水平部分１５ａの内側縁部（上記略二等辺三角形状の底辺）から上記天板１１に対して下向き傾斜状に傾斜する略半円形状の内側傾斜部分１５ｂとからなっている。また、上記外側水平部分１５ａに１つの略二等辺三角形状の主注出口１６が、上記周側壁１４に沿うようにして形成されており、内側傾斜部分１５ｂに、それ自体の開口面積が上記主注出口１６の開口面積より小さい２つの丸孔状の補助注出口１７が形成されている。これら両補助注出口１７の位置は、ビールの注出時に、主注出口１６の左右両端部分の略真上に設定されている。
【００１７】
３は略Ｕ字状に形成された帯状仕切り板であり、上記取付部１の天板１１の裏面から下方に向かって垂設されている。この帯状仕切り板３は、その略Ｕ字状の開口部を内側に向けた状態で、上記天板１１の貫通孔１１ａの周縁部に沿って配設されている。そして、上記取付部１を缶２１の一端部２１ａに固定した状態では、上記帯状仕切り板３の底面が缶２１の天蓋２２の上面に当接し、ビールの注出時に、缶２１の注ぎ口２２ａから流出するビールが下側に流れ落ちるのを防止している。
【００１８】
上記の構成において、缶２１に収容したビールをコップに注ぐ場合には、まず、缶２１の天蓋２２のスティオンタブ２４を引っ張って注ぎ口２２ａを開封し、ついで、缶２１の（天蓋２２側の）一端部２１ａに上記発泡性飲料注出具の取付部１を、その天板１１の貫通孔１１ａを上記注ぎ口２２ａに対応する位置に位置決めして取り付け（図１３参照）、その状態で上記注ぎ口２２ａを下側にして（図１４参照）缶２１を徐々に傾ける。これにより、缶２１内のビールが注ぎ口２２ａから流出し、天板１１の貫通孔１１ａから注出用筒部２内に流入し、この注出用筒部２内を通過したのち、主注出口１６，両補助注出口１７からコップ内に注がれる（図１４の矢印参照）。
【００１９】
このとき、注出用筒部２内を通過したビールは、まず、両補助注出口１７の下側に位置する主注出口１６から太い液体流として流出するが、この流出をゆっくりと行うことで、主注出口１６から注がれるビールによって、コップ内に泡が殆ど発生しない。また、缶２１内に溜まる炭酸ガスや空気は両補助注出口１７から放出される。ついで、さらに缶２１を傾けると、注出用筒部２内を通過したビールは両補助注出口１７からも細い液体流として流出する。この細い液体流は、注出用筒部２の天井板１５を伝って流れ落ちて主注出口１６からの太い液体流と合流したり、両補助注出口１７から勢い弱く飛び出して主注出口１６からの太い液体流と合流したりしてきめ細かな泡を発生させながらコップ内に注がれる。もしくは、上記細い液体流は、両補助注出口１７から勢いよく飛び出て、単独でコップ内に流下し、コップ内に溜まるビールの液面をたたき、きめ細かな泡を発生させる。
【００２０】
このように、上記実施の形態では、上記発泡性飲料注出具は、有天筒状の取付部１と、この取付部１の天板１１に形成された貫通孔１１ａと、この貫通孔１１ａを囲むようにして上記取付部１の天板１１から立設された注出用筒部２とを備え、この注出用筒部２の天井板１５に主注出口１６と２つの補助注出口１７を形成しただけの、簡単な構造であり、その分成形型の構造も簡単になり、製造コストが安価になる。しかも、上記発泡性飲料注出具は、１部品だけで構成されており、部品点数が少なく、在庫管理等の管理面が容易になる。
【００２１】
図１５は本発明の発泡性飲料注出具の他の実施の形態を示している。この実施の形態では、上記主注出口１６を下側にした姿勢で（図１５参照）、この主注出口１６の左右両端部分より外側に上記両補助注出口１７が形成されている。それ以外の部分は上記実施の形態と同様であり、同様の部分には同じ符号を付している。この実施の形態でも、上記実施の形態と同様の作用・効果を奏する。ただし、この実施の形態では、主注出口１６から流出する太い液体流と両補助注出口１７から流出する細い液体流とは殆どもしくは全く合流しない。
【００２２】
図１６は本発明の発泡性飲料注出具のさらに他の実施の形態を示している。この実施の形態では、上記主注出口１６を下側にした姿勢で（図１６参照）、この主注出口１６の左右両端部分より内側に上記両補助注出口１７が形成されている。それ以外の部分は、図１〜図１４に示す実施の形態と同様であり、同様の部分には同じ符号を付している。この実施の形態でも、図１〜図１４に示す実施の形態と同様の作用・効果を奏する。
【００２３】
なお、上記各実施の形態では、発泡性飲料としてビールが用いられているが、これに限定されるものではなく、発泡酒等の各種の発泡性飲料が用いられる。また、飲料容器として、図１３に示すような構造の金属製の缶２１が用いられているが、合成樹脂製等の缶２１でもよいし、どのような構造の缶２１でもよい。
【００２４】
また、上記各実施の形態では、上記補助注出口１７が２つ設けられているが、３つ以上設けられていてもよい。また、上記貫通孔１１ａ，主注出口１６，補助注出口１７の形成位置，形状，開口面積の大きさ等を適宜設定することができ、これにより、上記主注出口１６，補助注出口１７からコップに注がれるビールの量や勢いを適宜変更することができる。
【図面の簡単な説明】
【００２５】
【図１】本発明の発泡性飲料注出具の一実施の形態を示す斜視図である
【図２】上記発泡性飲料注出具を下から見た斜視図である。
【図３】上記発泡性飲料注出具の平面図である。
【図４】上記発泡性飲料注出具の一側面図である。
【図５】上記発泡性飲料注出具の他面図である。
【図６】上記発泡性飲料注出具の正面図である。
【図７】上記発泡性飲料注出具の底面図である。
【図８】上記発泡性飲料注出具のＡ−Ａ断面図である。
【図９】上記発泡性飲料注出具の要部の断面図である。
【図１０】上記発泡性飲料注出具の斜視図である。
【図１１】上記発泡性飲料注出具の要部の斜視図である。
【図１２】上記発泡性飲料注出具を下から見た斜視図である。
【図１３】上記発泡性飲料注出具を缶に取付けた状態を示す要部の断面図である。
【図１４】上記発泡性飲料注出具の使用態様を示す要部の断面図である。
【図１５】本発明の発泡性飲料注出具の他の実施の形態を示す説明図である
【図１６】本発明の発泡性飲料注出具のさらに他の実施の形態を示す説明図である。
【図１７】従来例を示す平面図である。
【図１８】従来例を示す断面図である。
【符号の説明】
【００２６】
１  取付部
２  注出用筒部
１１  天板
１１ａ  貫通孔
１５  天井板
１６  主注出口
１７  補助注出口
【図１】
2008137683.tif 000003
【図２】
2008137683.tif 000004
【図３】
2008137683.tif 000005
【図４】
2008137683.tif 000006
【図５】
2008137683.tif 000007
【図６】
2008137683.tif 000008
【図７】
2008137683.tif 000009
【図８】
2008137683.tif 000010
【図９】
2008137683.tif 000011
【図１０】
2008137683.tif 000012
【図１１】
2008137683.tif 000013
【図１２】
2008137683.tif 000014
【図１３】
2008137683.tif 000015
【図１４】
2008137683.tif 000016
【図１５】
2008137683.tif 000017
【図１６】
2008137683.tif 000018
【図１７】
2008137683.tif 000019
【図１８】
2008137683.tif 000020